(57)【特許請求の範囲】
【請求項１】
被写体光を測光する測光手段と、
前記被写体光の前記測光手段までの光路上に配置され、それぞれ同一の設定項目に関する異なる状態を示す複数の表示アイテムを表示する第１の表示手段と、を有し、
前記第１の表示手段は、前記測光手段での測光が行われる測光範囲に相当する領域の外側に、前記複数の表示アイテムのうち第１の表示アイテムを表示し、前記測光範囲に相当する領域の内側に、前記複数の表示アイテムのうち前記第１の表示アイテムよりも表示面積の小さい第２の表示アイテムの少なくとも一部を表示することを特徴とする測光装置。
【請求項２】
前記測光装置は前記第１の表示手段とは別の第２の表示手段をさらに有し、
前記複数の表示アイテムは、前記第１の表示手段において第１のレイアウトで配置され、前記第２の表示手段においては前記複数の表示アイテムの少なくとも一部が前記第１のレイアウトとは異なる第２のレイアウトで配置されることを特徴とする請求項１に記載の測光装置。
【請求項３】
被写体の像が結像されるフォーカシングスクリーンと、
前記フォーカシングスクリーンの像を観察するためのファインダー光学系と、をさらに有し、
前記第１の表示手段は前記フォーカシングスクリーンの近傍に配置され、前記第２の表示手段は前記ファインダー光学系の外の位置に配置されることを特徴とする請求項２に記載の測光装置。
【請求項４】
前記第１の表示手段または前記第２の表示手段において、前記複数の表示アイテムを順次選択する選択手段をさらに有し、
前記選択手段で選択される順序が隣り合う関係にある表示アイテム同士は互いに隣り合う位置に表示されることを特徴とする請求項２または３に記載の測光装置。
【請求項５】
前記第１の表示アイテムは前記複数の表示アイテムのうち表示面積が最大の表示アイテムであることを特徴とする請求項１乃至４の何れか１項に記載の測光装置。
【請求項６】
前記第２の表示アイテムは前記複数の表示アイテムのうち表示面積が最少の表示アイテムであることを特徴とする請求項１乃至５の何れか１項に記載の測光装置。
【請求項７】
前記複数の表示アイテムは、ホワイトバランスに関する設定を示す表示アイテムを含むことを特徴とする請求項１乃至６の何れか１項に記載の測光装置。
【請求項８】
前記第１の表示アイテムは、オートホワイトバランスを示す表示アイテムであることを特徴とする請求項１乃至７の何れか１項に記載の測光装置。
【請求項９】
前記第１の表示手段は、前記設定項目とは異なる他の項目に関する状態を示す複数の表示アイテムを表示し、
前記測光装置は、前記設定項目に関する複数の表示アイテムを順次選択する第１の操作部材と、前記他の項目に関する複数の表示アイテムを順次選択する第２の操作部材とをさらに有し、前記第１の表示手段において、前記設定項目に関する複数の表示アイテムと、前記他の項目に関する複数の表示アイテムとの表示位置の関係を、前記第１の操作部材と前記第２の操作部材との位置関係に対応するように表示することを特徴とする請求項１に記載の測光装置。
【請求項１０】
前記複数の表示アイテムを通過した光の量は、前記通過をする前よりも少なくなることを特徴とする請求項１乃至９の何れか１項に記載の測光装置。
【請求項１１】
被写体光を測光する測光手段と、
前記被写体光の前記測光手段までの光路上に配置された第１の表示手段と、
前記光路上ではない位置に配置されている第２の表示手段と、を有し、
前記第１の表示手段は、前記第１の表示手段に表示される複数の表示アイテムのうち、前記測光手段での測光に影響を与える位置にある所定の表示アイテムを、該所定の表示アイテムの表示面積の第１の表示手段の画面全体に対する割合を、前記第２の表示手段に表示される、対応する所定の表示アイテムの表示面積の第２の表示手段の画面全体に対する割合よりも小さく表示することを特徴とする測光装置。
【請求項１２】
被写体光を測光する測光手段と、
前記被写体光の前記測光手段までの光路上に配置された第１の表示手段と、
前記光路上ではない位置に配置されている第２の表示手段と、を有し、
前記第１の表示手段は、前記第１の表示手段に表示される複数の表示アイテムのうち、前記測光手段での測光に影響を与える位置にある所定の表示アイテムを、前記第２の表示手段に表示される、対応する所定の表示アイテムよりも高い透過性で表示することを特徴とする測光装置。
【請求項１３】
被写体光を測光する測光手段と、
前記被写体光の前記測光手段までの光路上に配置され、それぞれ同一の設定項目に関する異なる状態を示す第１の表示アイテムと当該第１の表示アイテムよりも表示面積の小さい第２の表示アイテムとを表示する第１の表示手段と、を有し、
前記第１の表示手段は、前記測光手段での測光が行われる測光範囲に相当する領域の外側に、前記第１の表示アイテムを表示し、前記測光範囲に相当する領域の内側に、前記第２の表示アイテムの少なくとも一部を表示することを特徴とする測光装置。
【請求項１４】
前記第１の表示手段を介して光学像を視認することが可能な領域よりも、前記測光手段での測光が行われる測光範囲の方が狭いことを特徴とする請求項１乃至１３の何れか１項に記載の測光装置。
【請求項１５】
前記被写体を撮像するための撮像手段を備えることを特徴とする請求項１乃至１４の何れか１項に記載の測光装置を用いた撮像装置。
【請求項１６】
被写体光を測光する測光手段と、
前記被写体光の前記測光手段までの光路上に配置され、それぞれ同一の設定項目に関する異なる状態を示す複数の表示アイテムを表示する表示手段と、を有する測光装置の制御方法であって、
前記表示手段の前記測光が行われる測光範囲に相当する領域の外側に、前記複数の表示アイテムのうち第１の表示アイテムを表示し、前記表示手段の前記測光範囲に相当する領域の内側に、前記複数の表示アイテムのうち前記第１の表示アイテムよりも表示面積の小さい第２の表示アイテムの少なくとも一部を表示する表示ステップを有することを特徴とする測光装置の制御方法。
【請求項１７】
被写体光を測光する測光手段と、
前記被写体光の前記測光手段までの光路上に配置された第１の表示手段と、
前記光路上ではない位置に配置されている第２の表示手段と、を有する測光装置の制御方法であって、
前記第１の表示手段に、複数の表示アイテムのうち、前記測光に影響を与える位置にある所定の表示アイテムを、該所定の表示アイテムの表示面積の画面全体に対する割合を、前記第２の表示手段に表示される、対応する所定の表示アイテムの表示面積の画面全体に対する割合よりも小さく表示する表示ステップを有することを特徴とする測光装置の制御方法。
【請求項１８】
被写体光を測光する測光手段と、
前記被写体光の前記測光手段までの光路上に配置された第１の表示手段と、
前記光路上ではない位置に配置されている第２の表示手段と、を有する測光装置の制御方法であって、
前記第１の表示手段に、複数の表示アイテムのうち、前記測光に影響を与える位置にある所定の表示アイテムを、前記第２の表示手段に表示される、対応する所定の表示アイテムよりも高い透過性で表示する表示ステップを有することを特徴とする測光装置の制御方法。
【請求項１９】
被写体光を測光する測光手段と、
前記被写体光の前記測光手段までの光路上に配置され、それぞれ同一の設定項目に関する異なる状態を示す第１の表示アイテムと当該第１の表示アイテムよりも表示面積の小さい第２の表示アイテムとを表示する表示手段と、を有する測光装置の制御方法であって、
前記表示手段の前記測光が行われる測光範囲に相当する領域の外側に、前記第１の表示アイテムを表示し、前記表示手段の前記測光範囲に相当する領域の内側に、前記第２の表示アイテムの少なくとも一部を表示する表示ステップを有することを特徴とする測光装置の制御方法。
【請求項２０】
コンピュータを、請求項１乃至１４のいずれか１項に記載された測光装置の各手段を制御する手段として機能させるためのプログラム。
【請求項２１】
コンピュータを、請求項１乃至１４のいずれか１項に記載された測光装置の各手段を制御する手段として機能させるためのプログラムを格納したコンピュータが読み取り可能な記憶媒体。
【発明の詳細な説明】
【技術分野】
【０００１】
本発明は、測光範囲を含む表示部を有する測光装置とその制御方法、プログラム、コンピュータが読み取り可能な記憶媒体に関する。
【背景技術】
【０００２】
近年、一眼レフ等の撮像装置ではファインダーをのぞいた状態で撮像装置の設定状態を確認したいという要望がある。このような設定状態の確認のためには、ファインダー内に電子ビューファインダーを用いて被写体と合わせて設定状態を表示させる方法がある。また、その他に、光学ファインダーにおいて、ピント板（フォーカシングスクリーン）と重なるように液晶等の表示素子を配置し、その表示を用いてスーパーインポーズ表示させる方法がある。しかし、ピント板からの光はペンタプリズム及び測光センサーに導かれるため、ピント板上の表示素子による表示が測光結果に影響する可能性がある。
【０００３】
特許文献１には、測光結果への影響を鑑み、交換可能なピント板の種類や表示素子によるエリア表示の位置の２つの情報を元に補正をかける方法が開示されている。
【先行技術文献】
【特許文献】
【０００４】
【特許文献１】特開平８−１６０５２０
【発明の概要】
【発明が解決しようとする課題】
【０００５】
上記のように、ピント板と重なる位置に配置された表示素子による表示が測光結果に影響を及ぼした場合には、露出、露光、ＩＳＯ感度といった撮影のパラメータに影響を与える可能性がある。
【０００６】
特許文献１では、交換可能なフォーカシングスクリーンの種類やフォーカシングスクリーン上の表示素子の表示の位置に基づき補正をかける。そのため、フォーカシングスクリーンが交換されたり、表示素子の表示位置が変更される度に補正量を変えなければ測光結果に与える影響を低減させることができない。
【０００７】
本発明は上記課題に鑑み、フォーカシングスクリーンなどに重なる表示が測光結果等に与える影響を低減させた測光装置を提供することにある。
【課題を解決するための手段】
【０００８】
上記目的を達成するために、本発明の測光装置は、被写体光を測光する測光手段と、前記被写体光の前記測光手段までの光路上に配置され、それぞれ同一の設定項目に関する異なる状態を示す複数の表示アイテムを表示する第１の表示手段と、を有し、前記第１の表示手段は、前記測光手段での測光が行われる測光範囲に相当する領域の外側に、前記複数の表示アイテムのうち第１の表示アイテムを表示し、前記測光範囲に相当する領域の内側に、前記複数の表示アイテムのうち前記第１の表示アイテムよりも表示面積の小さい第２の表示アイテムの少なくとも一部を表示することを特徴とする。
【発明の効果】
【０００９】
本発明によれば、フォーカシングスクリーンなどに重なる表示が測光結果等に与える影響を低減させることができる。
【図面の簡単な説明】
【００１０】
【図１】撮像装置の構成例を示すブロック図。
【図２】撮像装置の外観図。
【図３】本実施形態におけるパラメータ設定処理のフローチャート。
【図４】（ａ）ファインダー外液晶表示部の表示例を示す図、（ｂ）ファインダー内液晶表示部の表示例を示す図。
【図５】（ａ）ホワイトバランスの対応アイコンの例を示す図、（ｂ）ファインダー外液晶表示部におけるホワイトバランスの対応アイコンの表示例を示す図、（ｃ）ファインダー内液晶表示部におけるホワイトバランスの対応アイコンの表示例を示す図。
【図６】（ａ）ファインダー内液晶表示部の表示例を示す図、（ｂ）設定画面の表示例を示す図。
【図７】（ａ）〜（ｄ）ホワイトバランスの対応アイコンの表示例を示す図。
【発明を実施するための形態】
【００１１】
以下、図面を参照して本発明の好適な実施形態を説明する。
【００１２】
図１は、本実施形態による測光装置を内蔵した撮像装置２００の構成例を示すブロック図である。また、図２（ａ）、（ｂ）に本発明の撮像装置の一例としての撮像装置２００の外観図を示す。図２（ａ）は撮像装置２００の前面斜視図であり、図２（ｂ）は撮像装置２００の背面斜視図である。
【００１３】
レンズユニット１００は、撮影レンズを搭載する交換可能なレンズユニットである。レンズ５（撮像レンズ）は通常、複数枚のレンズから構成されるが、ここでは簡略して一枚のレンズのみで示している。通信端子６はレンズ側が撮像装置側と通信を行う為の通信端子であり、通信端子１０は撮像装置がレンズ側と通信を行う為の通信端子である。レンズユニット１００は、この通信端子６、１０を介してシステム制御部５０と通信し、内部のレンズシステム制御回路４によって絞り駆動回路２を介して絞り１の制御を行い、ＡＦ駆動回路３を介して、レンズ５の位置を変位させることで焦点を合わせる。また、システム制御部５０は、この通信端子６、１０を介して、レンズユニット１００の開放絞り値、及び最小絞り値を取得する。
【００１４】
ＡＥセンサー１５は、レンズユニット１００、クイックリターンミラー１２を通し、フォーカシングスクリーン１３（ピント板）上に結像した被写体の輝度（被写体光）を測光する。
【００１５】
ＡＦセンサー１１は、クイックリターンミラー１２及びサブミラー１２０を介して入射する像を撮像し、システム制御部５０にデフォーカス量情報を出力する位相差検出方式のＡＦセンサーである。システム制御部５０は、前記デフォーカス量情報に基づいてレンズユニット１００を制御する。
【００１６】
クイックリターンミラー１２は、露光の際にシステム制御部５０から指示されて、不図示のアクチュエータによりアップ／ダウンされる。
【００１７】
撮影者（ユーザ）は、ペンタプリズム１４とファインダー１６（の接眼部）のファインダー光学系を介して、フォーカシングスクリーン１３上に結像した像を観察することで、レンズユニット１００を通して得た被写体の光学像の焦点状態や構図を視認可能となる。
【００１８】
フォーカルプレーンシャッター１７は、システム制御部５０の制御で撮像素子２０の露光時間を制御するためのものである。
【００１９】
光学フィルター１８は一般的にローパスフィルターなどから構成され、フォーカルプレーンシャッター１７が開いているときにレンズユニット１００を介して入ってくる光の高周波成分をカットして、撮像素子２０に被写体像を導光する。
【００２０】
撮像素子２０は、一般的にＣＣＤやＣＭＯＳ等が用いられる撮像素子であり、レンズユニット１００を通して撮像素子２０上に結像された被写体像を光電変換して電気信号として出力する。
【００２１】
ＡＭＰ回路２１は、撮像素子２０から出力された電気信号に対して、設定されている撮影感度に応じたゲインで撮影信号を増幅する。
【００２２】
Ａ／Ｄ変換回路２２は撮像素子２０によって電気信号に変換されたアナログ信号をデジタル信号に変換する。
【００２３】
画像処理回路２３は、Ａ／Ｄ変換回路２２によってデジタル信号に変換された画像データに対して、フィルター処理、色変換処理、ガンマー／ニー等処理を行い、メモリコントローラ２７に出力する。また、画像処理回路２３はＤ／Ａ変換回路も内蔵している。画像処理回路２３はＡ／Ｄ変換回路２２によってデジタル信号に変換された画像データやメモリコントローラ２７により入力される画像データをアナログ信号に変換して液晶駆動回路２４を介して液晶表示部２５に出力することもできる。これらの画像処理回路２３による画像処理及び表示処理は、システム制御部５０により切り替えられる。また、システム制御部５０は、撮影画像のカラーバランス情報をもとにホワイトバランス調整を行う。
【００２４】
液晶表示部２５は画像を表示するための背面モニタであり、図２（ｂ）に示すように撮像装置２００の背面に設けられている。画像を表示するディスプレイであれば液晶方式に限らず、有機ＥＬなど他の方式のディスプレイであってもよい。
【００２５】
メモリコントローラ２７は、画像処理回路２３から入力されたＲＡＷの画像データをバッファメモリ２６に格納したり、或いは画像処理回路２３から入力された画像処理済みのＪＰＥＧ等の画像データをメモリー２８に格納したりする。また、逆にバッファメモリ２６やメモリー２８から画像データを取り込んで画像処理回路２３に出力したりもする。また、メモリコントローラ２７は、外部インターフェース２９を介して送られてくる画像データをメモリー２８に格納したり、逆にメモリー２８に格納されている画像データを外部インターフェース２９を介して外部に出力することも可能である。外部インターフェースとしては、無線、ＵＳＢ、ＩＥＥＥ、ＨＤＭＩ（登録商標）などのインターフェースが例として挙げられる。メモリー２８は、メモリカードなどの着脱可能な記録媒体でも、内蔵メモリであってもよい。システム制御部５０は、タイミング制御回路３２を介して撮像素子２０の駆動タイミングを制御する。
【００２６】
電源制御回路３５は、ＡＣ電源部３０、もしくは２次電池部３１より供給され電源を制御する回路である。電源制御回路３５はシステム制御部５０から指示を受けて電源のオンオフを行う。また電源制御回路３５は電源状態検知回路３４により検知された現在の電源状態の情報や電源種類検知回路３３により検知された現在の電源の種類の情報をシステム制御部５０に通知することも行う。
【００２７】
また、システム制御部５０はシャッター制御回路３６を介してフォーカルプレーンシャッター１７を制御する。
【００２８】
光学フィルター振動制御回路３７は、光学フィルター１８に接続されている圧電素子１９を振動させることによって、光学フィルター上のごみを振り落とすための回路である。振動の振幅、振動時間、振動の軸方向をそれぞれ所定の値で圧電素子を振動させるように、システム制御部５０の指示に従い振動させる。
【００２９】
不揮発性メモリ３８は不揮発性の記録媒体であり、ユーザが任意に設定したシャッター速度、絞り値、撮影感度などの設定値やその他の各種データや各種制御プログラムを撮像装置に電源が入れられていない状態でも、保存することができる。
【００３０】
揮発性メモリ３９は、撮像装置の内部状態や着脱可能なメモリー２８の情報など、一時的に記憶しておきたいデータを保存しておく。
【００３１】
ファインダー内液晶表示部４１は、ファインダー光路上に配置されており、ファインダー内液晶駆動回路４２を介して、現在オートフォーカス動作が行われている測距領域を示す測距枠や、カメラの設定状態を表すアイコンなどが表示される。フォーカシングスクリーン１３とファインダー内液晶表示部４１は近接した位置にあり（近傍に配置されており）、それぞれの表示を一度に確認できるように重ねて配置される。
【００３２】
ここで、測光する光の経路（光路）について説明する。ＡＥセンサー１５において計測される光（被写体側、入射部からの光）は、レンズ５を通ってクイックリターンミラー１２でその進行方向が（図１において時計回りに９０°）変更される。さらに、フォーカシングスクリーン１３とファインダー内液晶表示部４１（表示画面内）の所定の測光範囲を通過し、図４のペンタプリズム１４内に示すように光の進行方向が変更される。なお、ペンタプリズム１４により、被写体側からレンズ５に入射した光と同じ角度で観察者側（観察部）に光が届き、観察者は被写体を確認することができる。また、フォーカシングスクリーン１３とファインダー内液晶表示部４１の測光範囲を通過した光はＡＥセンサー１５に届き、光量が計測（測光）される。測光範囲はＡＥセンサー１５で測光可能な範囲内で可変することができるように構成されている。
【００３３】
ファインダー外液晶表示部４３は、ファインダー外液晶駆動回路４４を介して、シャッター速度や絞りをはじめとするカメラの様々な設定値が表示される表示部である。また、画像を表示するための液晶表示部２５とは別の位置（例えば図２（ａ）に示すように撮像装置２００の上面部）に設けられている。
【００３４】
操作部７０は、図２（ｂ）に示すように撮像装置の背面や上面などに設けられており、ユーザからの操作を受け付ける入力部としての各種操作部材である。操作部７０には、少なくともレリーズボタン２０１、メインダイヤル２０２、サブダイヤル２０３、電源スイッチ２０４、測距点選択ボタン２０５、メニューボタン２０６、撮影モード変更スイッチ２１０、記録画質変更ボタン２１２等の操作部材が含まれる。
【００３５】
システム制御部５０は、撮像装置２００に含まれる各部を制御する制御部である。システム制御部５０は、不揮発性メモリ３８に記録されたプログラムを、揮発性メモリ３９をワークメモリとして展開し、実行することで後述の図３のフローチャートなどに示される各種処理を実行する。
【００３６】
レリーズボタン２０１は、撮影の準備指示及び撮影指示を行うためのボタンであり、ボタンを半押しすることで、不図示のスイッチ１がオンし、被写体の輝度の測定や合焦を行う。また、ボタンを全押しすることで不図示のスイッチ２がオンし、シャッターが所定時間開き画像の静止画撮影及び記録動作が行われる。
【００３７】
メインダイヤル２０２は回転操作部材であり、ユーザは、このメインダイヤル２０２を回すことでシャッター速度や絞りなどの設定値の設定を行ったり、拡大モードでの拡大倍率の微調整を行う。
【００３８】
サブダイヤル２０３は回転操作部材であり、ユーザは、このサブダイヤル２０３を回すことで絞りや露出補正などの設定値の設定を行ったり、画像表示状態での画像の１枚送り操作などを行う。
【００３９】
電源スイッチ２０４は電源のＯＮ及びＯＦＦを行うための操作部材である。
【００４０】
メニューボタン２０６は、各種設定画面を液晶表示部２５に表示させる為のボタンである。
【００４１】
測距点選択ボタン２０５は、オートフォーカスのための測距領域を選択するモードに入る為のボタンである。
【００４２】
本実施形態では各項目を変更する際に各選択ボタンの押下とダイヤルを回すことにより設定する例を示すが、各項目を変更する際にはタッチパネル式の液晶表示部２５を用いてメニュー設定や各種設定を行うこともできる。また、ファインダー内液晶表示部４１を見ながら、タッチパネル式の液晶表示部２５での操作をしたり、選択ボタンのみの操作で各項目を設定することもできる。しかし、ユーザが撮像装置２００を持ち、さらにファインダーを覗きファインダー内液晶表示部４１を見ながら設定を変更する場合には物理的なボタンとダイヤルであれば操作性が高いので、ボタンとダイヤルへの操作による項目の設定方法について説明する。
【００４３】
［第１実施形態］
図３と図４（ａ）、（ｂ）、（ｃ）を参照して実施例１の項目設定処理について説明する。
【００４４】
図３に、本実施例におけるパラメータ設定処理のフローチャートを示す。撮影に関するパラメータは、ＷＢ（ホワイトバランス）、測光、ドライブ、ＡＦ（測距）、撮影モード、記録画質、ＩＳＯ感度、ストロボ調光等の撮影処理に関する様々な設定値があり、ユーザは各パラメータを適正に設定することで所望の画像を得ることができる。また、これらのパラメータを素早く設定、確認することでシャッターチャンスを逃さずに撮影を行うことができる。各パラメータの設定値は撮影待機中、もしくは画像の再生中であれば変更することができる。
【００４５】
図４（ａ）に操作部７０の一部の操作部材と、ファインダー外液晶表示部４３の詳細を示す。各項目は、図４（ａ）のファインダー外液晶表示部４３、図４（ｂ）のファインダー内液晶表示部４１、図１の液晶表示部２５にも表示させることができる。また、これらの各表示部を見ながらユーザは各パラメータを設定することができる。この処理は、不揮発性メモリ３８に記録されたプログラムをシステムメモリ５２に展開してシステム制御部５０が実行することで実現する。
【００４６】
Ｓ３００では、システム制御部５０は、ファインダー外液晶表示部４３とファインダー内液晶表示部４１に初期表示を行う。初期表示として、ユーザが電源を切る前に設定し不揮発性メモリ３８に記憶されていた各パラメータの設定、もしくは、初期設定として撮像装置に設定されている各パラメータのいずれかが表示される。
【００４７】
Ｓ３０１では、システム制御部５０は、メニューボタン２０６が押下されたか否かを判定する。押下されたと判定した場合は、Ｓ３２０へ進み、そうでない場合はＳ３０２へ進む。
【００４８】
Ｓ３０２では、システム制御部５０は、図４（ａ）の設定ボタンのうちＷＢモード／測光モード選択ボタン４０１が押下されたか否かを判定する。押下されたと判定された場合は、Ｓ３０３へ進み、そうでない場合はＳ３１４へ進む。
【００４９】
Ｓ３０３では、システム制御部５０は、図４（ａ）のメインダイヤル２０２への操作があったか否かを判定する。操作があったと判定した場合は、Ｓ３１３へ進み、そうでない場合はＳ３０４へ進む。
【００５０】
Ｓ３０４では、システム制御部５０は、図４（ａ）のサブダイヤル２０３への操作があったか否かを判定する。操作があったと判定した場合は、Ｓ３０５へ進み、そうでない場合はＳ３０２へ戻る。
【００５１】
Ｓ３０５では、システム制御部５０は、サブダイヤル２０３が時計回りに回されたか否かを判定する。時計回りに回されたと判定した場合は、Ｓ３０６へ進み、そうでない場合はＳ３０７へ進む。
【００５２】
Ｓ３０６では、システム制御部５０は、ＷＢアイコン設定値Ｎの値を１増やす。
【００５３】
図５に、ＷＢの各モードを示すアイコンとその配置を示す。図５（ａ）には、ＷＢアイコン設定値Ｎの１〜９の値、各ＷＢモード、アイコンをそれぞれ対応づけて示す。図５（ｂ）には、ファインダー外液晶表示部４３におけるＷＢアイコン、図５（ｃ）にはファインダー内液晶表示部４１におけるＷＢアイコンの配置例を示す。ＷＢアイコン設定値Ｎの値が変更されると共にＮの値に対応するＷＢモードに設定（順次選択）され、設定されたＷＢモードは揮発性メモリ３９に記憶される。
【００５４】
Ｓ３０７では、システム制御部５０は、ＷＢアイコン設定値Ｎの値を１増減らす。
【００５５】
Ｓ３０８では、システム制御部５０は、直前のＳ３０６において設定されたＮの値が９より大きいか否かを判定する。９より大きいと判定された場合にはＳ３０９へ進み、そうでない場合はＳ３１２へ進む。
【００５６】
Ｓ３０９では、システム制御部５０は、Ｎ＝１とする。サブダイヤル２０３及びメインダイヤル２０２は所定量回転されることに伴って、Ｎの値は１〜９の間で１ずつ増減する。また、Ｎの値がＳ３０２の時に９であり、さらに時計回りにダイヤルが回転された場合にはＮの値は１になる。
【００５７】
Ｓ３１０では、システム制御部５０は、直前のＳ３０７において設定されたＮの値が１より小さいか否かを判定する。１より小さいと判定された場合にはＳ３１１へ進み、そうでない場合はＳ３１２へ進む。
【００５８】
Ｓ３１１では、システム制御部５０は、Ｎ＝９とする。サブダイヤル２０３及びメインダイヤル２０２は所定量回転されることに伴って、Ｎの値（１〜９）は１ずつ増減していく。Ｎの値がＳ３０７において１を下回った場合にはＮの値は９になる。
【００５９】
Ｓ３１２では、システム制御部５０は、設定されたＮの値に対応するＷＢモードに設定する。さらに、図４（ａ）のファインダー外液晶表示部４３内に示すＷＢ表示４０５と、図４（ｂ）のファインダー内液晶表示部４１内に示すＷＢ表示４１３とに、設定したＷＢモードに対応するアイコン（表示アイテム）を表示する。図４（ａ）のファインダー外液晶表示部４３内に示すＷＢ表示４０５と、図４（ｂ）のファインダー内液晶表示部４１内に示すＷＢ表示４１３での表示については後述する。液晶表示部２５内での表示については説明を省略する。ＷＢ表示４０５とＷＢ表示４１３には９つのアイコンが表示されているが、これは便宜的に全てのアイコンを表示した場合の表示を示したものであり、実際には９つのうち設定されているＷＢに対応するアイコンのみが表示される。ファインダー外液晶表示部４３内及びファインダー内液晶表示部４１内の他の項目の設定値を示す表示についても、これは便宜的に表示可能なアイコン全てを表示したものであり、実際には設定（もしくは選択）されているアイコンもしくは数字が表示される。また、ファインダー内液晶表示部４１において、同一範囲に異なるアイコンが表示されることがない（すなわち、重ならない）ものとして説明する。
【００６０】
Ｓ３１３では、システム制御部５０は、測光モードに関する設定の変更を行う。測光モードには、露出値を自動補正する評価測光、中央部の所定範囲の測光値を用いる部分測光、さらに狭い中央部の所定範囲の測光値を用いるスポット測光、中央部を重点として全体を平均的な測光値を用いる中央部平均測光といった種類がある。測光結果に応じて適正な露出値を算出し、撮影を行う。設定可能な測光モードのうちいずれかをユーザが選択する操作を受け付け、選択された測光モードに設定し、設定した測光モードに対応するアイコンをファインダー外液晶表示部４３の測光表示４０６とファインダー内液晶表示部４１の測光表示４１６に表示させる。
【００６１】
なお、Ｓ３０２においてＷＢモード／測光モード選択ボタン４０１が押下された後、６秒を過ぎた場合にはメインダイヤル２０２またはサブダイヤル２０３を操作しても、ＷＢモードと測光モードの設定はいずれも変更されない。また、別の設定ボタンが押下された場合にもメインダイヤル２０２またはサブダイヤル２０３を操作しても、ＷＢモードと測光モードの設定はいずれも変更されず、押下された別の設定ボタンに対応する設定項目に関する設定が変更される。設定ボタンの有効時間は６秒でなくても４秒や１分といった値でもよいし、他の設定ボタンが押下されるまで最後に押下された設定ボタンを有効としてもよい。また、メニュー設定画面における撮影条件の設定でＷＢモード／測光モード以外の項目に関する変更設定が行われた場合には、再びＷＢモード／測光モード選択ボタン４０１を押下しなければＷＢモードまたは測光モードの設定変更を行うことはできない。
【００６２】
Ｓ３１４では、システム制御部５０は、図４（ａ）のドライブモード／ＡＦモード選択ボタン４０２が押下されたか否かを判定する。押下されたと判定された場合は、Ｓ３１５へ進み、そうでない場合はＳ３１６へ進む。
【００６３】
Ｓ３１５では、システム制御部５０は、ドライブモード若しくはＡＦモードの変更処理を行い、設定の変更されたモードに対応するアイコンをファインダー外液晶表示部４３のドライブ表示４０７もしくはＡＦ表示４０８に表示させる。さらに、同様に対応するアイコンをファインダー内液晶表示部４１のドライブ表示４１４もしくはＡＦ表示４１５に表示させる。
【００６４】
Ｓ３１６では、システム制御部５０は、図２（ａ）の撮影モード変更スイッチ２１０への回転の操作若しくは記録画質変更ボタン２１２が押下されたか否かを判定する。操作がされたと判定された場合は、Ｓ３１７へ進み、そうでない場合はＳ３１８へ進む。
【００６５】
Ｓ３１７では、システム制御部５０は、Ｓ３１６において撮影モード変更スイッチ２１０への回転の操作がされた場合には撮影モードの変更処理を、記録画質変更ボタン２１２が押下された場合には記録画質の変更処理を行う。記録画質は記録画質変更ボタン２１２の押下後にメインダイヤル２０２を操作することにより変更され、変更された設定に応じたアイコンをファインダー外液晶表示部４３の記録画質表示４１１に表示させる。また、撮影モードと変更した場合は、変更されたモードに対応するアイコンをファインダー内液晶表示部４１の撮影モード表示４１２に表示させる。
【００６６】
Ｓ３１８では、システム制御部５０は、図４（ａ）のＩＳＯ感度調整／ストロボ調光補正設定ボタン４０３が押下されたか否かを判定する。押下されたと判定された場合は、Ｓ３１９へ進み、そうでない場合はＳ３１１へ戻る。
【００６７】
Ｓ３１９では、システム制御部５０は、ＩＳＯ感度調整若しくはストロボ調光補正の変更処理を行い、設定された数値をファインダー外液晶表示部４３のＩＳＯ感度表示４１０若しくはストロボ調光補正表示４０９に表示させる。
【００６８】
これまで説明したフローではファインダー内液晶表示部４１には図４（ｂ）に示した項目を全て表示することを前提としたが、表示する項目をユーザが設定することもできる。
【００６９】
図６（ａ）には本実施例において表示する項目が一部の項目に設定された場合のファインダー内液晶表示部４１の表示例を示し、図６（ｂ）には図６（ａ）の表示を設定するための設定画面の表示例を示す。
【００７０】
Ｓ３２０では、システム制御部５０は、メニュー画面に表示された複数のメニュー項目のうち、ファインダー内表示項目の変更を受け付けるメニュー項目が選択されたか否かを判定する。選択されたと判定した場合は、Ｓ３２２へ進み、そうでない場合はＳ３２１へ進む。
【００７１】
Ｓ３２１では、システム制御部５０は、ファインダー内表示項目以外の他の設定項目に関する設定を行う。他の設定項目に関する設定では、撮影に関するホワイトバランスやＡＦといった設定や、再生に関する設定、電子音や日付の設定変更等を行うことができる。
【００７２】
Ｓ３２２では、システム制御部５０は、液晶表示部２５に設定画面を表示させ、ファインダー内液晶表示部４１に表示できる複数の表示項目のうちいずれかをユーザが選択する操作を受け付ける。
【００７３】
図６（ｂ）に、ユーザがファインダー内液晶表示部４１に表示させる表示項目を選択することができる設定画面の一例を示す。図６（ｂ）の設定画面６１４には、ＷＢ表示設定６０６、ドライブ表示設定６０７、ＡＦ表示設定６０８、測光表示設定６０９、カード／画像サイズ選択表示設定６１０、撮影モード表示設定６１１と各項目を選択するチェックボックスが表示されている。設定画面６１４に示す項目は上述した項目でなくてもよい。設定画面６１４において、いずれかの項目を選択し、さらにＯＫボタン６１２を押下してチェックを入れることでファインダー内液晶表示部４１に表示する項目を設定することができる。キャンセルボタン６１３を選択した場合には、表示する項目は設定を行う前から変更されない。
【００７４】
Ｓ３２３では、システム制御部５０は、Ｓ３２２において選択された項目を不揮発性メモリ３８に記憶させる。このように不揮発性メモリ３８に記憶させることで、電源を切り、再び電源をつけた場合にも、ファインダー内液晶表示部４１に設定した項目を表示させることができる。
【００７５】
Ｓ３２４では、システム制御部５０は、Ｓ３２２において選択された項目をファインダー内液晶表示部４１に表示させる。図６（ａ）にはファインダー内液晶表示部４１の他の表示例である設定表示画面６０１を示す。図６（ｂ）ではＷＢモード、ドライブモード、測光モードが選択されているため、図６（ａ）のように設定表示画面６０１には設定されている各モードに対応するアイコンが表示されている。設定表示画面６０１には、ＷＢモードの１つであり、現在設定されているＷＢモードであるオートホワイトバランス６０２、ドライブモードの１つの設定であるセルフタイマー２秒表示６０３、測光モードの設定の評価測光６０４が表示されている。また、ファインダー内液晶表示部４１には、設定表示画面６０１に示すように測光範囲ではない領域に透過性の低い領域６０５を設け、シャッター速度、絞り数値、撮影可能枚数、ＩＳＯ感度の値を示しても良い。
【００７６】
このように本実施例では、ユーザはファインダー内液晶表示部４１に表示させる設定項目を選択することができる。
【００７７】
また、メニューボタン２０６の押下によりメニュー項目内から設定を行っている途中Ｓ３２１には表示しないと設定された項目でもファインダー内液晶表示部４１に表示され、設定の終了後（項目選択の完了後であるＳ３２３）に再び表示されなくなる。このように表示しないと設定した項目であっても設定変更をする際には表示するので、表示されていない項目に対してもファインダーを覗いた状態で設定変更を確認しながら行うことができる。
【００７８】
Ｓ３２５では、システム制御部５０は、レリーズボタン２０１の半押しによって第１シャッタースイッチ信号ＳＷ１がオンとなったか否かを判定する。第１シャッタースイッチ信号ＳＷ１がオンとなった場合はＳ３２６へ進み、そうでない場合はＳ３０１へ戻る。
【００７９】
Ｓ３２６では、システム制御部５０は、ＡＦ処理（測距）を行って撮影レンズ１０３の焦点を被写体に合わせると共に、ＡＥ処理（測光）を行ってシャッター１０１の絞り値およびシャッター速度（露光時間）を決定する。
【００８０】
Ｓ３２７では、システム制御部５０は、シャッターボタン６１の半押しが継続して第１シャッタースイッチ信号ＳＷ１がオンとなっているか否かを判定する。第１シャッタースイッチ信号ＳＷ１がオンとなっている場合はＳ３２８へ進み、そうでない場合はＳ３０１へ進む。
【００８１】
Ｓ３２８では、システム制御部５０は、レリーズボタン２０１の全押しによって第２シャッタースイッチ信号ＳＷ２がオンになったか否かを判定する。第２シャッタースイッチ信号ＳＷ２がオンになった場合はＳ３２９へ進み、そうでない場合はＳ３２７へ戻る。
【００８２】
Ｓ３２９では、システム制御部５０は、撮影処理を行う。
【００８３】
ここで、図４（ａ）、（ｂ）を用いて本発明を適用可能な撮像装置２００の構成及びパラメータの表示について説明する。
【００８４】
図４（ａ）に示す通り、撮像装置２００には、ＷＢモード／測光モード選択ボタン４０１、ドライブモード／ＡＦモード選択ボタン４０２、ＩＳＯ感度調整／ストロボ調光補正設定ボタン４０３、液晶点灯切替ボタン４０４といった設定ボタンが配置されている。ＷＢモード／測光モード選択ボタン４０１の押下後にメインダイヤル２０２が操作されると測光モードの変更が行われ、サブダイヤル２０３が操作されるとＷＢモードの変更が行われる。同様にドライブモード／ＡＦモード選択ボタン４０２の押下後にメインダイヤル２０２が操作されるとＡＦモードの変更が行われ、サブダイヤル２０３が操作されるとドライブモードの変更が行われる。また、ＩＳＯ感度調整／ストロボ調光補正設定ボタン４０３の押下後にメインダイヤル２０２が操作されるとストロボ調光補正が行われ、サブダイヤル２０３が操作されるとＩＳＯ感度調整が行われる。さらに、液晶点灯切替ボタン４０４の押下に応じて、ファインダー外液晶表示部４３の点灯と消灯が切替えられる。
【００８５】
図４（ａ）のファインダー外液晶表示部４３にはＷＢ表示４０５、ＩＳＯ感度表示４１０、記録画質表示４１１、ストロボ調光補正表示４０９、測光表示４０６、ドライブ表示４０７、ＡＦ表示４０８が表示されている。ファインダー内液晶表示部４１とファインダー外液晶表示部４３では、各項目の設定中のモード等を示すアイコン（各項目の設定中のモードに対応するアイコン）は必ずしも全て同じ項目が表示されるわけではない。また同じ項目が表示されていたとしても同じ表示位置または配置関係にはならない。
【００８６】
また、図４（ｂ）のファインダー内液晶表示部４１の上下左右の四辺のうち下辺側には左から順に撮影モード表示４１２、ＷＢ表示４１３、ドライブ表示４１４、ＡＦ表示４１５、測光表示４１６、記録画質表示４１７、警告表示４１８が表示可能である。ユーザがすぐに全てのパラメータの設定状態を確認できるよう一列に並べて表示されている。さらに、撮像装置２００の傾きを示す水準器表示４２２、ＡＥセンサー１５によって測光可能な範囲を示す測光枠４１９、エリアオートフォーカスフレーム４２１、スポット測光範囲４２０をファインダー内液晶表示部４１には表示させることができる。フォーカシングスクリーン１３及びファインダー内液晶表示部４１上に示される測光枠４１９の範囲を通った光は、図１のＡＥセンサー１５で測光される。被写体側から入射した光はＡＥセンサー１５に届くまでの光路において、前述した測光する光の経路を通るが、該経路の途中にはフォーカシングスクリーン１３及びファインダー内液晶表示部４１が含まれる。このとき、ファインダー内液晶表示部４１の測光枠４１９内に光が透過できない表示等があると、該表示等の部分（領域）には光が通過しない、もしくは通過する光の量が少なくなる。そのため、ＡＥセンサー１５において該表示の部分に対応する測光範囲には実際に光があったとしても、光がないものとして、もしくは実際よりも少ない光の量として計測されてしまう。水準器表示４２２、測光枠４１９、エリアオートフォーカスフレーム４２１、スポット測光範囲４２０は測光に影響のない細い線で表示されるが、非表示にすることもできる。
【００８７】
また、ファインダー内液晶表示部４１内とファインダー外液晶表示部４３で表示される各パラメータは設定変更を行うダイヤルの位置に応じて配置されているため、ユーザは操作位置と変更中のパラメータの表示位置を対応づけて感覚的に操作を行うことができる。図２（ｂ）で示す撮像装置２００をユーザが液晶表示部２５側から見た場合には、メインダイヤル２０２はサブダイヤル２０３よりも右側に位置する。メインダイヤル２０２とサブダイヤル２０３のどちらで設定変更可能かにより、各項目に対応する表示アイテムの表示位置が異なる（位置関係が設定変更可能なダイヤルに位置に対応する）。より詳しくは、同じ設定ボタン（４０１〜４０４）の押下により設定変更可能な２つの設定項目のうち、メインダイヤル２０２の操作により変更可能な項目のアイコンはサブダイヤル２０３の操作により変更可能な項目のアイコンよりも右側に表示される。例えばＷＢモード／測光モード選択ボタン４０１の押下で変更可能なＷＢモードと測光モードでは、ファインダー内液晶表示部４１のＷＢ表示４１３と測光表示４１６のうち、右側に位置するメインダイヤル２０２で操作可能な測光表示４１６が右側に表示される。
【００８８】
図５（ｃ）に、図４（ｂ）のファインダー内液晶表示部４１内のＷＢ表示４１３の拡大図を示す。図５（ｃ）に示すように、ファインダー内液晶表示部４１では、くもり表示５１３、白熱電球表示５１４、白色蛍光灯表示５１５、ストロボ表示５１６が上段に表示されている。また、日陰表示５１２、色温度表示５１８、マニュアル表示５１７が中段に、太陽光表示５１１、ＡＷＢ表示（オートホワイトバランス表示）５１０が下段に表示されている。図４（ｂ）のファインダー内液晶表示部４１のＷＢ表示４１３では測光枠４１９に重なって表示アイテムが配置されており、ＷＢ表示４１３では上段の表示アイテムは測光枠４１９の内側に、中断と下段の表示アイテムは測光枠４１９の外側に配置される。つまり、測光枠４１９の内側に配置されている表示アイテムが選択された場合には、測光枠４１９の内側に表示アイテムが表示されるため、測光結果に影響を与える可能性がある。ＡＷＢ表示５１０は、ＷＢモードを示すアイコンの中で最もファインダー内液晶表示部４１の液晶上に占める表示面積が大きく（最大）、測光結果に与える影響もその分大きくなる可能性がある。ここで、表示面積とは表示部において、黒塗りになる面積、つまり光路を遮るように表示されている部分の面積のことを示す。よって、表示面積の大きな表示アイテムを測光枠４１９の外側（測光範囲に相当する領域外）に配置し、該表示面積の大きな表示アイテムよりも表示面積の小さな表示アイテムを測光枠４１９の内側（測光範囲に相当する領域内）に配置する。これにより、測光結果に与える影響を小さくすることができる。言い換えれば、測光枠４１９の内側に、より表示面積の小さなアイコン（もしくは表示面積が最少のアイコン）を配置することで、より表示面積の大きなアイコンを配置するよりも、測光結果に与える影響を小さくすることができる。このように、ファインダー外液晶表示部４３とファインダー内液晶表示部４１では、測光枠４１９に重なる領域を含む領域に表示アイテムを表示する場合に、異なる表示面積の表示アイテムを表示面積によって配置関係を変更する。さらに表示面積の大きな表示アイテムが表示面積の小さな表示アイテムよりも外側に（測光枠４１９の外側に）配置されるようにする。また、表示面積の大きな表示アイテムが測光枠４１９の外側、かつファインダー内液晶表示部４１の外枠に近い部分に表示された方が、撮影者が被写体を確認する時に被写体の中央部（主要部）と重なる表示の面積が小さくなり、被写体像の視認性が向上する。
【００８９】
また、図５（ｂ）と（ｃ）では、ＡＷＢ表示と、ＡＷＢ表示よりも表示面積の小さい表示アイテムの配置関係は異なる。つまり、図５（ｂ）においてはＡＷＢ表示５０１よりも表示面積の小さい表示アイテムは、ＡＷＢ表示５０１よりも下方向にある。また、図５（ｃ）においては、ＡＷＢ表示５１０よりも表示面積の小さい表示アイテムはＡＷＢ表示５１０よりも上方向にある。
【００９０】
ここで、図４（ａ）のファインダー外液晶表示部４３内に示すＷＢ表示４０５と、図４（ｂ）のファインダー内液晶表示部４１内に示すＷＢ表示４１３での各ＷＢモードに対応するアイコンの設定変更に伴う表示方法について説明する。
【００９１】
図４（ａ）のファインダー外液晶表示部４３内に示すＷＢ表示４０５には、Ｎ＝１からサブダイヤル２０３を時計回りに操作した場合、Ｎ＝１から９までの対応するアイコンが順番に表示される。
【００９２】
図５（ｂ）には、ファインダー外液晶表示部４３内のＷＢ表示４０５を示す。サブダイヤル２０３を時計回りに操作した場合、ＷＢ表示４０５内ではサブダイヤル２０３の回転方向に応じてＮ＝１に対応するアイコンから以下の順番で表示されるアイコンが切り替わる。ＡＷＢ表示５０１、太陽光表示５０２、日陰表示５０３、くもり表示５０４、白熱電球表示５０５、白色蛍光灯表示５０６、ストロボ表示５０７、マニュアル表示５０８、色温度表示５０９が１つずつ順番に表示される。また、反時計回りにサブダイヤル２０３を操作した場合には、時計回りに操作した場合とは反対順で、サブダイヤル２０３の回転に応じて表示が切り替わる。このようにサブダイヤル２０３の回転方向（操作方向）に応じて設定されるＷＢモードが対応するＮの値が増える方向もしくは減る方向に変更され、ユーザが見えるＷＢ表示４０５においても回転に応じて表示が切り替わる。
【００９３】
次に、図４（ｂ）のファインダー外液晶表示部４３内に示すＷＢ表示４１３での設定変更に伴う表示方法について説明する。図４（ａ）のファインダー外液晶表示部４３内に示すＷＢ表示４０５と同様に、Ｎ＝１からサブダイヤル２０３を時計回りに操作した場合、Ｎ＝１から９までの対応するアイコンが順番に表示される。図５（ｂ）及び（ｃ）に示すようにＷＢ表示４１３内では、ＷＢ表示４０５とは各アイコン（表示アイテム）が表示される位置が異なり、９つのアイコンのレイアウトも異なるが、表示の切り替わる順番とダイヤルの回転方向に応じて表示が切り替わる点は同じである。このため、ＷＢ表示４１３とＷＢ表示４０５のいずれにおいても、表示の切替順序が隣り合っている（前後である）アイコン同士（表示アイテム同士）は、互いに隣接するように配置されている。つまり、サブダイヤル２０３を時計回りに操作した場合、図５（ｃ）に示すようにＷＢ表示４１３内ではＮ＝１に対応するアイコンから以下の順番で表示されるアイコンが切り替わる。ＡＷＢ表示５１０、太陽光表示５１１、日陰表示５１２、くもり表示５１３、白熱電球表示５１４、白色蛍光灯表示５１５、ストロボ表示５１６、マニュアル表示５１７、色温度表示５１８が１つずつ順番に表示される。また、反時計回りにサブダイヤル２０３を操作した場合には時計回りに操作した場合とは反対順で、サブダイヤル２０３の回転に応じて表示が切り替わる。このようにサブダイヤル２０３の回転方向に応じて、ファインダー内液晶表示部４１内におけるユーザが見えるＷＢ表示４１３においても回転方向に応じて表示の切り替えがされる。
【００９４】
ファインダー内液晶表示部４１で測光結果に影響を与えないようにファインダー外液晶表示部４３と異なるレイアウトで各項目の表示アイテムを表示しても、サブダイヤル２０３の回転方向に応じた順番で表示が切り替わる。また、ファインダー内液晶表示部４１においても、サブダイヤル２０３の回転に応じた切替順が隣り合っているアイコン同士は表示される位置も隣りあっているため、設定を変更した際にすぐに変更後のモードに対応するアイコンを確認しやすくなる。
【００９５】
以上、説明した実施形態によれば、測光範囲に重なる表示アイテムの表示が測光結果に与える影響を小さくすることができる。よって、測光範囲を含まない表示部（例えば撮像装置背面や上面の液晶等）での表示を、ファインダー１６をのぞいた状態でもユーザが確認できるように表示し、表示を見ながら撮影を行えるようにしても測光への影響は大きくならない。また、変更順（変更の際に表示、設定される順、）はダイヤルの回転方向に応じた順である。そのため、ファインダー内液晶表示部４１の表示アイテムの配置を測光結果に与える影響が少ないようにファインダー外液晶表示部４３と異なるものとしても、ユーザの操作性を損なわない。また、限られた範囲の中に表示アイテムを近接した位置に並べて表示させるといった制約がある中でも、測光結果に与える影響を小さくすることができる。本実施例は表示方法（表示アイテムのレイアウト）によって、測光結果への影響を小さくすることができるため、測光結果に対して補正処理を行う必要性が低く、また補正をした場合に生じ得る補正ミスを抑えることができる。
【００９６】
なお、表示するアイコンの数は９つでなくてもよく、複数の表示アイテムを測光範囲のある表示部に表示するような場合であれば本実施例は有効である。また、本実施例では複数のパラメータのうちの１つのＷＢモードを示すアイコンの表示例について説明したが、アイコンの配置をファインダー内液晶表示部４１とファインダー外液晶表示部４３とで異なるものとするパラメータはＷＢモードとは限らない。また、ＷＢを示す９つのアイテム（９つのアイテムのうち設定されたアイテムのみが表示される）の配置について説明をしたが、本発明は撮影モード表示４１２、ＷＢ表示４１３、ドライブ表示４１４といった複数の表示アイテムに対しても適用可能である。例えば、撮影モード表示４１２、ＷＢ表示４１３、ドライブ表示４１４の複数の表示アイテムの場合、各表示のうち設定されたアイテムが１つ表示される。よって、各表示の有する複数の表示アイテムの平均表示面積を求め、平均表示面積の大きかった表示から測光枠４１９の中心から離れた位置に配置されるようにすればよい。平均表示面積の大きな表示から順に測光枠４１９の中心から離れた位置に表示することで、平均表示面積の大きな表示から順に測光枠４１９の中心から近い位置に表示されるよりも測光結果に与える影響を小さくすることができる。
【００９７】
また、同じ設定ボタンの押下後にメインダイヤル２０２への操作とサブダイヤル２０３への操作を行う場合では、変更されるパラメータが違うことを説明したが、メインダイヤル２０２とサブダイヤル２０３への操作で変更可能なパラメータが同一であってもよい。例えば、ユーザの使用頻度の高いパラメータであれば、設定ボタンの押下後にメインダイヤル２０２とサブダイヤル２０３の両方で操作できる方がよい。
【００９８】
なお、ＳＷ１がオンになったことに応じてファインダー内液晶表示部４１に表示中の表示アイテムを消灯してもよい。測光は通常ＳＷ１がオンされることに応じて行うため、ＳＷ１がオンになった後の測光中（測光が行われている期間）に表示アイテムを表示させなければ（消灯すれば）測光結果に影響を与えることはない。また、ＳＷ１がオンになった後の一定期間のみ表示アイテムを表示せずに測光を行い、一定期間の経過後に測光を中止し得られた測光値を表示するようにしてもよい。このように、ファインダー内液晶表示部４１への制御を行うことで、表示アイテムの表示位置や表示状態に関わらず、ファインダー内液晶表示部４１に表示される表示アイテム表示が測光結果に与える影響を小さくすることができる。また、ＳＷ１がオフになったことに応じて消灯中の表示アイテムを点灯し、表示する。
【００９９】
［第２実施形態］
図７を用いて実施例２におけるＷＢモードの各アイコンの表示例について説明する。実施例２では、図５（ｃ）の表示以外と、図３のフローチャートについては実施例１と同様である。実施例１では、アイコンの表示面積に応じて配置することを説明したが、本実施例の表示方法によればアイコンの配置に関わらず、透過性を考慮した表示にすることで測光結果に与える影響を低減することができる。図７（ａ）、（ｂ）、（ｃ）は本実施例におけるファインダー内液晶表示部４１のＷＢ表示４１３の表示例を示しており、図７（ｄ）は本実施例におけるファインダー外液晶表示部４３のＷＢ表示４０５の表示例を示している。図７（ａ）、（ｂ）、（ｃ）のＷＢモードの表示例はファインダー外液晶表示部４３に表示されている図７（ｄ）の表示と対応する各アイコンの表示位置及びレイアウトは同一である。
【０１００】
図７（ａ）に示すように、ＡＷＢ表示７０１は白抜きで表現している。白抜き部分は透過性があるものとする。このように所定以上の表示面積を有するアイコンのみを透過率が高くなるように黒から白抜きにすることで、所定以上の表示面積を有するアイコンであっても、測光結果に与える影響を低減することができる。また、９つのアイコンの中でＡＷＢ表示が測光枠４１９内に重なる位置に表示されていたとしても透過率が高くなるような表示にする（白抜きにした）ことで、測光結果への影響を低減させることができる。
【０１０１】
図７（ｂ）では、ＡＷＢ表示７０２は、白抜きかつＡのみの１文字で、表現している。このように所定以上の表示面積を有するアイコンのみを透過率が高くなるように黒から白抜きにすることで測光結果に与える影響を低減する。さらにファインダー内液晶表示部４１のアイコンの占める表示面積が小さくなるようにアイコンの形をファインダー外液晶表示部４３とで異なるものとすることで、その影響をさらに低減することができる。つまり、ファインダー内液晶表示部４１での表示アイコンの表示面積の画面全体に対する割合が小さくなるように表示を変える。
【０１０２】
図７（ｃ）では、９つのアイコンの全てをグレー表示にすることで、視認性を落とすことなく黒色で表示したときよりも透過率を高くしている。グレー部分は透過性があるものとする。このようにファインダー内液晶表示部４１のうち測光枠４１９と重なる領域に表示されるアイコンを含む全てのアイコンの透過率を高くすることでも、測光結果に与える影響を低減することができる。また、グレー表示でなくても透過率の高い白抜きで全てのアイコンを表示するようにしてもよい。
【０１０３】
以上、説明した実施形態によればファインダー内液晶表示部４１の表示アイテムのレイアウトをファインダー外液晶表示部４３と異なるものとすることなく、測光範囲に重なる位置に表示される表示アイテムが測光結果に与える影響を低くすることができる。
【０１０４】
また、図７の（ａ）、（ｂ）、（ｃ）のＷＢ表示では各表示アイテムの表示位置をファインダー外液晶表示部４３の表示位置と異なるものとすることなく測光結果に与える影響を低減することができる。つまり、表示面積の大きな表示アイテムの表示位置をファインダー外液晶表示部４３の表示位置と異なるものとすることなく、測光結果に与える影響を低減することができる。
【０１０５】
ファインダー外液晶表示部４３とファインダー内液晶表示部４１の同一項目を示す表示アイテムは同じレイアウトで表示されるため、より混乱なく直感的に設定操作を行える。
【０１０６】
なお、本実施例のようにアイコンを表示する色や形を変えた上で、さらに実施例１のように表示面積の大きなアイコンを測光枠４１９から離れた位置に表示することも有用である。
【０１０７】
また、本実施例ではＷＢモードのアイコンについて説明したが、ＷＢモードに限らず、測光結果に影響を与えるアイコン表示（測光枠に重なって表示されるアイコン表示）であれば本実施例を適用可能である。
【０１０８】
また、測光の値は同じタイミングで同じ被写体に対して測光（測光動作）を行った場合でも、測光方式によって（スポット測光と中央部平均測光では）用いられる値が異なり、表示アイテムが与える影響も異なる。本実施形態では表示アイテムの配置による測光結果への影響について説明したが、どのような測光方式が選択されていても表示アイテムが測光範囲と重なる領域に表示されると、ＡＥセンサー１５により測定された値には影響を与える可能性がある。つまり、スポット測光等の一部の範囲の結果のみしか測光値として使用せず、測光結果には表示アイテムが影響を与えない場合があったとしても、測光枠４１９全体の測光範囲で得られた値より算出される撮影に関する値には影響を与える可能性がある。
【０１０９】
なお、撮像装置の制御は１つのハードウェアが行ってもよいし、複数のハードウェアが処理を分担することで、装置全体の制御を行ってもよい。
【０１１０】
また、本発明をその好適な実施形態に基づいて詳述してきたが、本発明はこれら特定の実施形態に限られるものではなく、この発明の要旨を逸脱しない範囲の様々な形態も本発明に含まれる。さらに、上述した各実施形態は本発明の一実施形態を示すものにすぎず、各実施形態を適宜組み合わせることも可能である。
【０１１１】
また、上述した実施形態においては、本発明を撮像装置に適用した場合を例にして説明したが、これはこの例に限定されず測光する光路の途中に液晶表示をするような撮像装置であれば適用可能である。すなわち、本発明は携帯電話端末や携帯型の画像ビューワ、ファインダーを備えるプリンタ装置、デジタルフォトフレーム、音楽プレーヤー、ゲーム機、電子ブックリーダーなどに適用可能である。
【０１１２】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【図１】
0006415162.tif 000002
【図２】
0006415162.tif 000003
【図３】
0006415162.tif 000004
【図４】
0006415162.tif 000005
【図５】
0006415162.tif 000006
【図６】
0006415162.tif 000007
【図７】
0006415162.tif 000008